(57)【要約】【課題】使用者が出力を意図しないオーディオデータの出力を中止する。【解決手段】電子機器に、データ入力ポート及び電源出力ポートを有する入出力インタフェースと、データ入力ポートを介して入力された入力信号を出力する出力部と、電源出力ポートに電源を供給する電源供給部と、データ入力ポートに入力信号が所定時間入力されないことを検出したら、出力部による入力信号の出力を中止させる出力制御部とを設けた。【選択図】図２
2016208095.tif 000002
【特許請求の範囲】
【請求項１】
データ入力ポート及び電源出力ポートを有する入出力インタフェースと、
前記データ入力ポートを介して入力された入力信号を出力する出力部と、
前記電源出力ポートに電源を供給する電源供給部と、
前記データ入力ポートに前記入力信号が所定時間入力されないことを検出したら、前記出力部による前記入力信号の出力を中止させる出力制御部と
を備えることを特徴とする電子機器。
【請求項２】
前記出力制御部は、前記データ入力ポートに前記入力信号が所定時間入力されないことを検出したら、前記出力部への前記入力信号の供給を切断することにより前記入力信号の出力を中止させることを特徴とする請求項１記載の電子機器。
【請求項３】
前記入出力インタフェースはＵＳＢインタフェースであることを特徴とする請求項１または２に記載の電子機器。
【請求項４】
データ入力ポート、オーディオデータ入力ポート、及び電源出力ポートを有する入出力インタフェースと、
前記データ入力ポートと前記オーディオデータ入力ポートとの少なくとも一方を介して入力された入力信号を出力する出力部と、
前記電源出力ポートに電源を供給する電源供給部と、
前記データ入力ポートに入力された前記入力信号と前記オーディオデータ入力ポートに入力された前記入力信号とのいずれか一方を前記出力部により出力させる出力制御部と
を備えることを特徴とする電子機器。
【請求項５】
前記出力制御部は、前記データ入力ポートと前記オーディオデータ入力ポートとの少なくとも一方に前記入力信号を入力する外部機器に対して、これらデータ入力ポートとオーディオデータ入力ポートとのいずれか一方に前記入力信号を入力させるための制御信号を出力することを特徴とする請求項４記載の電子機器。
【請求項６】
前記出力制御部は、前記データ入力ポートを介して解除信号が入力されたら、前記制御信号に基づく動作を解除して初期動作に復帰することを特徴とする請求項５記載の電子機器。
【請求項７】
前記出力制御部の動作を解除させる解除入力を受け入れて、この解除入力に基づいて解除信号を出力制御部に出力する解除入力部を備え、
前記出力制御部は、前記解除入力部から解除信号が入力されたら、前記制御信号に基づく動作を解除して初期動作に復帰する
ことを特徴とする請求項５記載の電子機器。
【請求項８】
前記入出力インタフェースはＵＳＢインタフェースであることを特徴とする請求項４〜７のいずれかに記載の電子機器。
【請求項９】
前記出力制御部は、前記ＵＳＢインタフェースを介して接続された前記外部機器が、前記電子機器をオーディオクラスに属するＵＳＢホスト機器であると認識させることを特徴とする請求項８記載の電子機器。
【請求項１０】
前記電子機器はＦＭトランスミッターであることを特徴とする請求項１〜９のいずれかに記載の電子機器。
【請求項１１】
データ入力ポート及び電源出力ポートを有する入出力インタフェースと、前記電源出力ポートに電源を供給する電源供給部とを備える電子機器における出力制御方法であって、
前記データ入力ポートを介して入力された入力信号を出力するとき、前記データ入力ポートに前記入力信号が所定時間入力されないことを検出したら、前記入力信号の出力を中止する
ことを備えることを特徴とする電子機器における出力制御方法。
【請求項１２】
データ入力ポート、オーディオデータ入力ポート及び電源出力ポートを有する入出力インタフェースと、前記電源出力ポートに電源を供給する電源供給部とを備える電子機器における出力制御方法であって、
前記データ入力ポートと前記オーディオデータ入力ポートとを介して入力された入力信号を出力するとき、前記データ入力ポートに入力された前記入力信号と前記オーディオデータ入力ポートに入力された前記入力信号とのいずれか一方を出力する
を備えることを特徴とする電子機器における出力制御方法。
【請求項１３】
データ入力ポート及び電源出力ポートを有する入出力インタフェースと、前記電源出力ポートに電源を供給する電源供給部とを備えるコンピュータにより実行されるプログラムであって、
このプログラムが前記コンピュータにより実行されると、このコンピュータを、
前記データ入力ポートを介して入力された入力信号を出力する出力部と、
前記データ入力ポートに前記入力信号が所定時間入力されないことを検出したら、前記出力部による入力信号の出力を中止させる出力制御部と
して機能させることを特徴とするプログラム。
【請求項１４】
データ入力ポート、オーディオデータ入力ポート及び電源出力ポートを有する入出力インタフェースと、前記電源出力ポートに電源を供給する電源供給部とを備えるコンピュータにより実行されるプログラムであって、
このプログラムが前記コンピュータにより実行されると、このコンピュータを、
前記データ入力ポートと前記オーディオデータ入力ポートとを介して入力された入力信号を出力する出力部と、
前記データ入力ポートに入力された前記入力信号と前記オーディオデータ入力ポートに入力された前記入力信号とのいずれか一方を前記出力部により出力させる出力制御部と
して機能させることを特徴とするプログラム。
【発明の詳細な説明】
【技術分野】
【０００１】
本発明は、データ入力ポート及び電源出力ポートを有する入出力インタフェースと、前記電源出力ポートに電源を供給する電源供給部とを備える電子機器、電子機器における出力制御方法及びプログラムに関する。
【背景技術】
【０００２】
スマートフォンや携帯型音楽プレーヤーなどの携帯型情報処理装置から出力されるオーディオデータをＦＭ変調してＦＭ波として出力し、ＦＭ波受信可能なカーナビゲーション機器等の車載機器がこれを受信して車内でオーディオデータを再生可能にするＦＭトランスミッターは周知である。最近のＦＭトランスミッターは、車内に設けられたシガーソケット等の電源端子に接続可能にされ、この電源端子から取得した電源を携帯型情報処理装置に供給可能なものもある（例えば、特許文献１参照）。
【０００３】
ＦＭトランスミッターと携帯型情報処理装置とはＵＳＢ（Universal Serial Bus）規格に則ったＵＳＢケーブルで接続されることが多い。これは、ＵＳＢ規格では電源端子（ＶＢＵＳ、ＧＮＤ）とデータ端子（Ｄ＋、Ｄ−）とを有するので、携帯型情報処理装置からデータ端子を通じてＦＭトランスミッターにオーディオデータが供給され、また、ＦＭトランスミッターから電源端子を通じて携帯型情報処理装置に電源を供給でき、１本のＵＳＢケーブルでデータ通信と電源供給とを行える利点があるからである。
【先行技術文献】
【特許文献】
【０００４】
【特許文献１】特開２００６−１１１２５２号公報
【発明の概要】
【発明が解決しようとする課題】
【０００５】
スマートフォン等の携帯型情報処理装置を車内で使用する場合、この携帯型情報処理装置からＦＭトランスミッターを介して車内で音楽を再生するばかりでなく、カーナビゲーションアプリケーションやＳＮＳアプリケーションを用いることもありうる。この場合、ＦＭトランスミッターは単なる電源供給機器として用いられる。
【０００６】
しかしながら、ＵＳＢケーブルを介して携帯型情報処理装置とＦＭトランスミッターとを接続した場合、携帯型情報処理装置からのオーディオデータはＵＳＢケーブルを介してＦＭトランスミッターに供給される。従来のＦＭトランスミッターは、このオーディオデータをＦＭ変調してＦＭ波として出力してしまう。従って、車載機器がＦＭトランスミッターからのＦＭ波を受信できる状態であると、使用者が意図しないオーディオ出力まで車内で再生されてしまう可能性がある。
【０００７】
本発明は上述した課題に鑑みてなされたものであり、使用者が出力を意図しないオーディオデータの出力を中止することの可能な電子機器、電子機器における出力制御方法及びプログラムの提供を、その目的の一つとしている。
【課題を解決するための手段】
【０００８】
本発明は電子機器に適用され、そして、データ入力ポート及び電源出力ポートを有する入出力インタフェースと、データ入力ポートを介して入力された入力信号を出力する出力部と、電源出力ポートに電源を供給する電源供給部と、データ入力ポートに入力信号が所定時間入力されないことを検出したら、出力部による入力信号の出力を中止させる出力制御部とを設けることにより、上述の課題の少なくとも一つを解決している。
【０００９】
出力制御部は、データ入力ポートに入力信号が所定時間入力されないことを検出したら、出力部による入力信号の出力を中止させる。従って、楽曲再生終了等に伴ってオーディオ入力信号等が出力されなくなってから所定時間を経過すると、出力制御部は出力部による入力信号の出力を中止させる。
【００１０】
ここで、出力制御部は、データ入力ポートに入力信号が所定時間入力されないことを検出したら、出力部への入力信号の供給を切断することで、入力信号の出力を中止させることが好ましい。また、入出力インタフェースはＵＳＢインタフェースであることが好ましい。
【００１１】
また、本発明は電子機器に適用され、そして、データ入力ポート、オーディオデータ入力ポート、及び電源出力ポートを有する入出力インタフェースと、データ入力ポートとオーディオデータ入力ポートとの少なくとも一方を介して入力された入力信号を出力する出力部と、電源出力ポートに電源を供給する電源供給部と、データ入力ポートに入力された入力信号とオーディオデータ入力ポートに入力された入力信号とのいずれか一方を出力部により出力させる出力制御部とを設けることにより、上述の課題の少なくとも一つを解決している。
【００１２】
出力制御部は、データ入力ポートに入力された入力信号とオーディオデータ入力ポートに入力された入力信号とのいずれか一方を出力部により出力させる。従って、電子機器の使用者が、出力制御部を制御することにより、出力部の出力を適切に選択することができる。
【００１３】
ここで、出力制御部は、データ入力ポートとオーディオデータ入力ポートとの少なくとも一方に入力信号を入力する外部機器に対して、これらデータ入力ポートとオーディオデータ入力ポートとのいずれか一方に入力信号を入力させるための制御信号を出力することが好ましい。
【００１４】
また、出力制御部は、データ入力ポートを介して解除信号が入力されたら、制御信号に基づく動作を解除して初期動作に復帰することが好ましい。この場合、出力制御部の動作を解除させる解除入力を受け入れて、この解除入力に基づいて解除信号を出力制御部に出力する解除入力部を設け、出力制御部は、解除入力部から解除信号が入力されたら、制御信号に基づく動作を解除して初期動作に復帰することが好ましい。
【００１５】
さらに、入出力インタフェースはＵＳＢインタフェースであることが好ましく、この場合、出力制御部は、ＵＳＢインタフェースを介して接続された外部機器が、電子機器をオーディオクラスに属するＵＳＢホスト機器であると認識させることが好ましい。
【００１６】
そして、電子機器はＦＭトランスミッターであることが好ましい。
【００１７】
また、本発明は、データ入力ポート及び電源出力ポートを有する入出力インタフェースと、電源出力ポートに電源を供給する電源供給部とを備える電子機器における出力制御方法に適用される。そして、データ入力ポートを介して入力された入力信号を出力するとき、データ入力ポートに入力信号が所定時間入力されないことを検出したら、入力信号の出力を中止することにより、上述の課題の少なくとも一つを解決している。
【００１８】
また、本発明は、データ入力ポート、オーディオデータ入力ポート及び電源出力ポートを有する入出力インタフェースと、電源出力ポートに電源を供給する電源供給部とを備える電子機器における出力制御方法に適用される。そして、データ入力ポートとオーディオデータ入力ポートとを介して入力された入力信号を出力するとき、データ入力ポートに入力された入力信号とオーディオデータ入力ポートに入力された入力信号とのいずれか一方を出力することにより、上述の課題の少なくとも一つを解決している。
【００１９】
さらに、本発明は、データ入力ポート及び電源出力ポートを有する入出力インタフェースと、電源出力ポートに電源を供給する電源供給部とを備えるコンピュータにより実行されるプログラムに適用される。そして、このプログラムがコンピュータにより実行されると、このコンピュータを、データ入力ポートを介して入力された入力信号を出力する出力部と、データ入力ポートに入力信号が所定時間入力されないことを検出したら、出力部による入力信号の出力を中止させる出力制御部として機能させることにより、上述の課題の少なくとも一つを解決している。
【００２０】
そして、本発明は、データ入力ポート、オーディオデータ入力ポート及び電源出力ポートを有する入出力インタフェースと、電源出力ポートに電源を供給する電源供給部とを備えるコンピュータにより実行されるプログラムに適用される。そして、このプログラムがコンピュータにより実行されると、このコンピュータを、データ入力ポートとオーディオデータ入力ポートとを介して入力された入力信号を出力する出力部と、データ入力ポートに入力された入力信号とオーディオデータ入力ポートに入力された入力信号とのいずれか一方を出力部により出力させる出力制御部として機能させることにより、上述の課題の少なくとも一つを解決している。
【発明の効果】
【００２１】
本発明によれば、使用者が出力を意図しないオーディオデータの出力を中止することの可能な電子機器、電子機器における出力制御方法及びプログラムを実現することができる。
【図面の簡単な説明】
【００２２】
【図１】本発明の第１実施形態である電子機器の概略構成を示すブロック図である。
【図２】第１実施形態の電子機器の機能構成を示す機能ブロック図である。
【図３】第１実施形態の電子機器の動作の一例を示すフローチャートである。
【図４】本発明の第２実施形態である電子機器の概略構成を示すブロック図である。
【図５】第２実施形態の電子機器の機能構成を示す機能ブロック図である。
【図６】第２実施形態の電子機器の動作の一例を示すフローチャートである。
【発明を実施するための形態】
【００２３】
以下、図面を参照して、本発明の実施形態について説明する。
（第１実施形態の構成）
図１は、本発明の第１実施形態である電子機器の概略構成を示すブロック図である。図１に示すように、本実施形態の電子機器１はＦＭトランスミッターに適用されている。本実施形態のＦＭトランスミッターである電子機器１は、車内のシガーソケット２に接続され、このシガーソケット２から電源の供給を受けて、スマートフォンや携帯型音楽プレーヤーなどの携帯型情報処理装置である外部機器３に、ＵＳＢケーブル４を介して充電用の電源を供給する。また、本実施形態の電子機器１は、外部機器３からのオーディオ出力をＵＳＢケーブル４を介して受け入れ、ＦＭ変調してＦＭ波として出力する。電子機器１から出力されたＦＭ波は、車内に設けられたＦＭ波受信可能なカーナビゲーション機器等の車載機器５により再生される。
【００２４】
本実施形態の電子機器１は、制御回路１０、ＦＭトランスミッター部１１、電源回路１２、アンテナ１３及び電源端子１４を備える。
【００２５】
制御回路１０は、外部機器３との間においてＵＳＢ規格に基づいたデータ通信及び電源供給を行うものであり、好ましくは、ＵＳＢ  ＯＴＧ（On-The-Go）規格に準拠したデータ通信等を行う。図示は省略するが、本実施形態の電子機器１は、ＵＳＢコネクタのうちミニＢ、ミニＡＢ、マイクロＢ、及びマイクロＡＢソケット（メス型コネクタ）の少なくとも一つを備え、従って、図1に示すように、制御回路１０には、ＵＳＢソケットの電源端子（ＶＢＵＳ、ＧＮＤ）及びデータ端子（Ｄ＋、Ｄ−）に加えて、ＵＳＢ  ＯＴＧの検出用端子（ＩＤ）が接続されている。
【００２６】
また、本実施形態の制御回路１０は、後述する外部機器３からのオーディオ出力をＦＭトランスミッター部１１に出力する制御も行う。制御回路１０は、その内部にファームウェア等のプログラムが格納される記憶部を備え、このプログラムが実行されることにより、図２に示すような各機能部としても動作する。図２に示す各機能部の動作については後述する。
【００２７】
ＦＭトランスミッター部１１は、ＣＰＵ（Central Processing Unit）１５、ＲＯＭ（Read Only Memory）１６、ＲＡＭ（Random Access Memory）１７、デコーダ１８及びＦＭ変調部１９を備え、ＣＰＵ１５、ＲＯＭ１６、ＲＡＭ１７、デコーダ１８及びＦＭ変調部１９はそれぞれ共通のバスにより接続されている。
【００２８】
ＣＰＵ１５は、ＲＯＭ１６内に格納されたファームウェア等のプログラムがＲＡＭ１７において展開された後で実行されることで、ＦＭトランスミッター部１１全体の動作制御を行う。また、ＣＰＵ１５は、ＲＯＭ１６内に格納されたプログラムが実行されることにより、図２に示すような各機能部としても動作する。図２に示す各機能部の動作については後述する。ＲＯＭ１６には、上述のファームウェア等のプログラムや、各種設定データが格納されている。ＲＡＭ１７は、ＦＭトランスミッター部１１のワークメモリとして動作し、各種プログラム及びデータが一時的に格納される。
【００２９】
デコーダ１８は、外部機器３から出力されたオーディオ出力が制御回路１０経由で入力された際、このオーディオ出力が符号化処理等がされている場合に、デコード処理を行う。ＦＭ変調部１９は、外部機器３からのオーディオ出力、またはデコーダ１８によりデコードされたオーディオ出力に対してＦＭ変調処理を行う。ＦＭ変調部１９によりＦＭ変調処理されたオーディオ出力は、アンテナ１３を介してＦＭ波として電子機器１の外に出力される。
【００３０】
電源回路１２は、車内のシガーソケット２に接続された電源端子１４を介して車内の電源からの電源電圧の供給を受け、この電源電圧を、ＵＳＢ規格に基づいた電源電圧に調整して制御回路１０に供給する。一例として、国産自動車であると、自動車に搭載されたバッテリーの電圧は公称１２Ｖであり、充電の程度、あるいはエンジン起動時等の条件により上下する。シガーソケット２にはバッテリーからの電源電圧が供給されるので、電源回路１２は、公称１２Ｖの電源電圧を、ＵＳＢ規格に基づく電源電圧、一例としてＵＳＢ１．０〜３．０規格であれば５Ｖに電圧を調整して制御回路１０に供給する。また、電源回路１２は、電子機器１の動作に必要な電源を供給する、すなわち、制御回路１０やＦＭトランスミッター部１１に電源を供給する。
【００３１】
（第１実施形態の電子機器の機能構成）
図２は、第１実施形態の電子機器の機能構成を示す機能ブロック図である。図２において、本実施形態の電子機器１は、制御部２０、入出力インタフェース２１、出力部２２及び電源供給部２３を備える。制御部２０は、出力制御部２４を備える。
【００３２】
入出力インタフェース２１は、外部機器３との間でデータ送受信及び電源供給を行うものであり、本実施形態の入出力インタフェース２１は、データ入力ポート２１ａ及び電源出力ポート２１ｂを備える。データ入力ポート２１ａは、外部機器３に設けられたデータ出力ポート３ａからのオーディオ出力信号を含む種々の出力信号を入力信号として受け入れる。電源出力ポート２１ｂは、外部機器３に設けられた電源入力ポート３ｂに対して電源電圧を供給する。
【００３３】
本実施形態の入出力インタフェース２１は、好ましくはＵＳＢインタフェースであり、この場合、データ入力ポート２１ａは、ＵＳＢ端子のうちデータ端子（Ｄ＋、Ｄ−）及びＵＳＢ  ＯＴＧ判定のためのＩＤ端子を含む。また、電源出力ポート２１ｂは電源端子（ＶＢＵＳ、ＧＮＤ）を含む。
【００３４】
出力部２２は、入出力インタフェース２１のデータ入力ポート２１ａを介して入力された入力信号を出力する。より詳細には、出力部２２は、入出力インタフェース２１のデータ入力ポート２１ａに入力されたオーディオ出力信号を受け入れ、デコード処理、ＦＭ変調処理等を行った上で、ＦＭ波として出力する。出力部２２から出力されたＦＭ波は車載機器５により再生される。出力部２２による信号出力は、後述する出力制御部２４の制御の元に行われる。
【００３５】
電源供給部２３は、入出力インタフェース２１の電源出力ポート２１ｂに電源を供給する。より詳細には、電源供給部２３は、シガーソケット２から供給される電源電圧を外部機器３に適した電源電圧に調整して、入出力インタフェース２１の電源出力ポート２１ｂを介して外部機器３の電源入力ポート３ｂに供給する。ここで、入出力インタフェース２１がＵＳＢインタフェースであった場合、電源供給部２３は５Ｖに電圧を調整して電源出力ポート２１ｂに電源を供給する。
【００３６】
制御部２０は、電子機器１全体の制御を行う。また、制御部２０の出力制御部２４は、データ入力ポート２１ａに入力信号が所定時間入力されないことを検出したら、出力部２２による入力信号の出力を中止させる。より詳細には、出力制御部２４は、入出力インタフェース２１のデータ入力ポート２１ａに、外部機器３のデータ出力ポート３ａからオーディオ出力信号を含むデータ入力信号が所定時間入力されないことを検出したら、出力部２２によるＦＭ波出力を中止させる。好ましくは、出力制御部２４は、データ入力ポート２１ａに入力信号が所定時間入力されないことを検出したら、出力部２２への入力信号の供給を切断することにより、出力部２２による入力信号の出力、一例として出力部２２によるＦＭ波出力を中止させる。
【００３７】
出力制御部２４が出力部２２による入力信号の出力を中止させるための判断基準である「所定時間」は、外部機器３から出力されるオーディオ出力信号の特性等から適宜決定されればよい。所定時間を決定する際に考慮すべき事項として、外部機器３において再生される音楽の曲間に無音の時間が存在する場合、この無音時間に対応して電子機器１にオーディオ出力信号が入力されないことにより、出力制御部２４が出力部２２による入力信号の出力を中止させることがなく、一方、外部機器３において音楽再生が中止されてカーナビゲーションアプリケーションが起動されたことに対応して、電子機器１にオーディオ出力信号が入力されないことにより、出力制御部２４が出力部２２による入力信号の出力を中止させるような所定時間であることが挙げられる。一例として、この所定時間は３０秒に設定される。
【００３８】
好ましくは、出力制御部２４は、トランスミッターモードと充電モードとの２つのモードで動作する。データ出力ポート３ａとしてＩＤ端子を有する外部機器３の中には、ＩＤ端子を経由してオーディオ出力信号を出力する機器がある。この場合、ＵＳＢケーブル４を介して外部機器３とＦＭトランスミッターである電子機器１とが接続されると、外部機器３は電子機器１をイヤフォン、ヘッドフォン等のオーディオ出力機器として認識し、ＵＳＢ規格に基づく認識動作（ネゴシエーション動作）を行わないことがある。
【００３９】
トランスミッターモードにおいては、出力制御部２４は、データ入力ポート２１ａを介して入力されたオーディオ出力信号を、出力部２２を介して出力させる。一方、充電モードでは、データ入力ポート２１ａを介してオーディオ出力信号が入力されたとしても、出力制御部２４は出力部２２を介してこれを出力させない。なお、トランスミッターモード及び充電モードのいずれのモードで出力制御部２４が動作していても、電源供給部２３から電源出力ポート２１ｂを介した外部機器３への電源供給は行われる。
【００４０】
以上の構成において、電子機器１の制御部２０及び制御部２０を構成する出力制御部２４は主に制御回路１０及びＣＰＵ１５により構成され、入出力インタフェース２１は主に制御回路１０により構成され、出力部２２は主にＣＰＵ１５、デコーダ１８、ＦＭ変調部１９及びアンテナ１３により構成され、電源供給部２３は主に電源回路１２及び電源端子１４により構成される。図２に示す各機能部の動作については後に詳述する。
【００４１】
（第１実施形態の電子機器の動作）
次に、図３のフローチャートを参照して、本実施形態の電子機器１の動作について説明する。
【００４２】
図３は、本実施形態の電子機器１の動作の一例を説明するためのフローチャートである。図３に示すフローチャートは、電子機器１の電源端子１４がシガーソケット２に接続され、電子機器１が動作可能になった時点で開始する。
【００４３】
まず、ステップＳ１では、入出力インタフェース２１のデータ入力ポート２１ａのうち、ＩＤ端子に外部機器３のデータ出力ポート３ａが接続されたか否かが判定される。ステップＳ１の判定は、ＩＤ端子の抵抗値を測定する等により行われる。ＩＤ端子に外部機器３のデータ出力ポート３ａが接続されたと判定された（ステップＳ１においてＹＥＳ）場合は、プログラムはステップＳ３に移行し、ＩＤ端子に外部機器３のデータ出力ポート３ａが接続されていないと判定された（ステップＳ１においてＮＯ）場合は、プログラムはステップＳ２に移行する。
【００４４】
ステップＳ２では、出力制御部２４が充電モードで動作する。すなわち、出力制御部２４は、データ入力ポート２１ａを介してオーディオ出力信号が入力されたとしても、出力制御部２４は出力部２２を介してこれを出力させない。一方、電源供給部２３は、電源出力ポート２１ｂを介して外部機器３の電源入力ポート３ｂへ電源供給を行う。
【００４５】
ステップＳ３では、出力制御部２４がトランスミッターモードで動作する。すなわち、出力制御部２４は、データ入力ポート２１ａを介して入力されたオーディオ出力信号を、出力部２２を介して出力させる。一方、電源供給部２３は、電源出力ポート２１ｂを介して外部機器３の電源入力ポート３ｂへ電源供給を行う。
【００４６】
ステップＳ４では、入出力インタフェース２１のデータ入力ポート２１ａのうち、ＩＤ端子にオーディオ出力信号が入力されなくなるのを待ち、ＩＤ端子にオーディオ出力信号が入力されなくなった（ステップＳ４においてＮＯ）場合は、プログラムはステップＳ５に移行する。
【００４７】
ステップＳ５では、ＩＤ端子にオーディオ出力信号が入力されなくなってから所定時間経過したか否かが判定され、所定時間を経過した（ステップＳ５においてＹＥＳ）場合はプログラムはステップＳ６に移行し、所定時間を経過することなく再度ＩＤ端子にオーディオ出力信号が入力された（ステップＳ５においてＮＯ）場合はプログラムはステップＳ４に戻る。
【００４８】
ステップＳ６では、出力制御部２４の動作がトランスミッターモードから充電モードへと移行する。すなわち、出力制御部２４は、データ入力ポート２１ａを介してオーディオ出力信号が入力されたとしても、出力制御部２４は出力部２２を介してこれを出力させない。一方、電源供給部２３は、電源出力ポート２１ｂを介して外部機器３の電源入力ポート３ｂへ電源供給を行う。
【００４９】
ステップＳ７では、入出力インタフェース２１のデータ入力ポート２１ａのうち、ＩＤ端子が開放された、すなわち、ＩＤ端子と外部機器３のデータ出力ポート３ａとが切断されるのを待ち、ＩＤ端子と外部機器３のデータ出力ポート３ａとが切断されたと判定された（ステップＳ７においてＹＥＳ）場合は、プログラムはステップＳ１に戻る。通常、ＵＳＢケーブル４が電子機器１のＵＳＢコネクタから取り外されることにより、ＩＤ端子と外部機器３のデータ出力ポート３ａとが切断される。ステップＳ７の判定も、ＩＤ端子の抵抗値を測定する等により行われる。
【００５０】
（第１実施形態の効果）
以上詳細に説明したように、本実施形態の電子機器１によれば、データ入力ポート２１ａに入力信号が所定時間入力されないことを検出したら、出力制御部２４が出力部２２による入力信号の出力を中止させているので、外部機器３において音楽再生が中止された等、使用者がオーディオ出力を中止した場合、その後、外部機器３においてカーナビゲーションアプリケーション等が起動されてオーディオ出力がされても、このオーディオ出力が電子機器１を介して出力されることを抑制することができる。これにより、使用者が出力を意図しないオーディオデータの出力を中止することが可能となる。
【００５１】
（第２実施形態の構成）
次に、図４は、本発明の第２実施形態である電子機器の概略構成を示すブロック図である。図４に示すように、本実施形態の電子機器１もＦＭトランスミッターに適用されている。
【００５２】
本実施形態の電子機器１は、上述した第１実施形態の電子機器１の構成に加えて、スイッチ３０を備える。スイッチ３０は、使用者の動作に応じて切替信号を制御回路１０に出力する。本実施形態のスイッチ３０は、制御回路１０に対して切替信号を出力するものであるから、その具体的な構成に大きな限定はない。すなわち、スイッチ３０はオルタネートスイッチであってもモーメンタリスイッチであっても良いし、その動作が機械的であっても電子的であっても良い。機械式スイッチである場合、トグルスイッチ、スライドスイッチ等、周知のものが好適に適用可能である。
【００５３】
また、本実施形態の電子機器１を構成する制御回路１０は、第１実施形態の制御回路１０の機能に加えて、ＵＳＢハブとしての機能を備え、スイッチ３０の動作に基づいて、制御回路１０の後段に位置するＦＭトランスミッター部１１を異なるＵＳＢ機器であるとして切り替える。
【００５４】
これ以外の構成は上述した第１実施形態の構成と同様であるので、同一の構成要素については同一の符号を付してその説明を簡略化する。
【００５５】
（第２実施形態の電子機器の機能構成）
図５は、第２実施形態の電子機器の機能構成を示す機能ブロック図である。図５において、本実施形態の電子機器１は、第１実施形態の電子機器１の機能構成に加えて、入力指示部２５を備える。入力指示部２５は、使用者の操作入力を受け入れ、この操作入力に応じて入力信号を制御部２０に出力する。
【００５６】
また、本実施形態の入出力インタフェース２１は、データ入力ポート２１ａ、電源出力ポート２１ｂに加えて、オーディオデータ入力ポート２１ｃを備える。オーディオデータ入力ポート２１ｃは、外部機器３に設けられたオーディオデータ出力ポート３ｃからのオーディオ出力信号を入力信号として受け入れる。従って、データ入力ポート２１ａは、外部機器３に設けられたデータ出力ポート３ａからのオーディオ出力信号を除く種々の出力信号を入力信号として受け入れる。なお、オーディオ出力信号はデータ入力ポート２１ａ及びオーディオデータ入力ポート２１ｃの少なくとも一方から入力されればよい。
【００５７】
本実施形態の入出力インタフェース２１は、好ましくはＵＳＢインタフェースであり、この場合、データ入力ポート２１ａは、ＵＳＢ端子のうちデータ端子（Ｄ＋、Ｄ−）を含み、電源出力ポート２１ｂは電源端子（ＶＢＵＳ、ＧＮＤ）を含み、オーディオデータ入力ポート２１ｃはＵＳＢ  ＯＴＧ判定のためのＩＤ端子を含む。
【００５８】
本実施形態の出力制御部２４は、入出力インタフェース２１のデータ入力ポート２１ａに入力された入力信号とオーディオデータ入力ポート２１ｃに入力された入力信号とのいずれか一方を出力部２２により出力させる。出力制御部２４が、データ入力ポート２１ａに入力された入力信号とオーディオデータ入力ポート２１ｃに入力された入力信号とのいずれを出力部２２により出力させるかは、好ましくは、入力指示部２５が出力する入力信号に基づいて決定される。
【００５９】
好ましくは、出力制御部２４は、データ入力ポート２１ａとオーディオデータ入力ポート２１ｃとの少なくとも一方に入力信号を入力する外部機器３に対して、これらデータ入力ポート２１ａとオーディオデータ入力ポート２１ｃとのいずれか一方に入力信号を入力させるための制御信号を出力する。
【００６０】
より詳細には、本実施形態の出力制御部２４はＵＳＢハブ機能を備え、入力指示部２５が出力する入力信号に基づいて、外部機器３と電子機器１とがＵＳＢケーブル４を介して接続された際に、あるいは、外部機器３と電子機器１とが接続されている際に、ＵＳＢ規格に基づく認識動作（ネゴシエーション動作）を行って、電子機器１がＵＳＢ規格に定められたデバイスクラスにおいてオーディオクラスに属するＵＳＢホスト機器である（ＵＳＢオーディオ機器である）との宣言を外部機器３に行うための制御信号（コマンド）を送出するか、あるいは、ネゴシエーション動作を行わずに、電子機器１をイヤフォン、ヘッドフォン等のオーディオ出力機器として認識させるかのいずれかの動作を行う。
【００６１】
外部機器３が、ＵＳＢケーブル４を介して接続されている電子機器１がＵＳＢオーディオ機器であると認識した場合、このＵＳＢオーディオ機器である電子機器１に対してオーディオ出力を行うか否かを外部機器３の使用者が選択でき、また、ボリューム操作等によりオーディオ出力信号のレベル調整を使用者が行うことができる。
【００６２】
そして、出力制御部２４は、データ入力ポート２１ａを介して解除信号が入力されたら、制御信号に基づく動作を解除して初期動作に復帰することが好ましい。より詳しくは、電子機器１がＵＳＢオーディオ機器であると宣言した状態で動作を行っている状態で、外部機器３のデータ出力ポート３ａから、一例として外部機器３と電子機器１との間のＵＳＢ規格に基づく接続状態を解除する解除信号が出力されたら、出力制御部２４は、ネゴシエーション動作を行わずに、電子機器１をイヤフォン、ヘッドフォン等のオーディオ出力機器として認識させる動作を行う。
【００６３】
外部機器３が解除信号を出力する手法に特に限定はなく、一例として、外部機器３において制御用アプリケーションソフトウェアを起動し、この制御用アプリケーションソフトウェアが解除信号を出力する手法が一例として挙げられる。
【００６４】
あるいは、出力制御部２４の動作を解除させる解除入力を受け入れて、この解除入力に基づいて解除信号を出力制御部２４に出力する解除入力部を設け、出力制御部２４は、解除入力部から解除信号が入力されたら、制御信号に基づく動作を解除して初期動作に復帰することが好ましい。より詳しくは、電子機器１がＵＳＢオーディオ機器であると宣言した状態で動作を行っている状態で、解除入力部から解除信号が入力されたら、出力制御部２４は、外部機器３と電子機器１との間のＵＳＢ規格に基づく接続状態を解除した上で、ネゴシエーション動作を行わずに、電子機器１をイヤフォン、ヘッドフォン等のオーディオ出力機器として認識させる動作を行う。
【００６５】
解除入力部の一例としては、上述の入力指示部２５が挙げられる。他に、制御用アプリケーションソフトウェアを起動することで制御部２０に解除入力部２６を構成する例が挙げられる。
【００６６】
また、出力部２２は、データ入力ポート２１ａとオーディオデータ入力ポート２１ｃとを介して入力された入力信号を出力する。これ以外の構成は上述した第１実施形態の構成と同様であるので、同一の構成要素については同一の符号を付してその説明を簡略化する。
【００６７】
以上の構成において、電子機器１の制御部２０及び制御部２０を構成する出力制御部２４及び解除制御部２６は主に制御回路１０及びＣＰＵ１５により構成され、入出力インタフェース２１は主に制御回路１０により構成され、出力部２２は主にＣＰＵ１５、デコーダ１８、ＦＭ変調部１９及びアンテナ１３により構成され、電源供給部２３は主に電源回路１２及び電源端子１４により構成され、入力指示部２５は主にスイッチ３０により構成される。図５に示す各機能部の動作については後に詳述する。
【００６８】
（第２実施形態の電子機器の動作）
次に、図６のフローチャートを参照して、本実施形態の電子機器１の動作について説明する。
【００６９】
図６は、本実施形態の電子機器１の動作の一例を説明するためのフローチャートである。図６に示すフローチャートは、電子機器１の電源端子１４がシガーソケット２に接続され、電子機器１が動作可能になった時点で開始する。
【００７０】
まず、ステップＳ１０では、入出力インタフェース２１のオーディオデータ入力ポート２１ｃであるＩＤ端子に外部機器３のオーディオデータ出力ポート３ｃが接続されたか否かが判定される。ステップＳ１０の判定は、ＩＤ端子の抵抗値を測定する等により行われる。ＩＤ端子に外部機器３のオーディオデータ出力ポート３ｃが接続されたと判定された（ステップＳ１０においてＹＥＳ）場合は、プログラムはステップＳ１２に移行し、ＩＤ端子に外部機器３のオーディオデータ出力ポート３ｃが接続されていないと判定された（ステップＳ１０においてＮＯ）場合は、プログラムはステップＳ１１に移行する。
【００７１】
ステップＳ１１では、出力制御部２４が充電モードで動作する。すなわち、出力制御部２４は、オーディオデータ入力ポート２１ｃを介してオーディオ出力信号が入力されたとしても、出力制御部２４は出力部２２を介してこれを出力させない。一方、電源供給部２３は、電源出力ポート２１ｂを介して外部機器３の電源入力ポート３ｂへ電源供給を行う。
【００７２】
ステップＳ１２では、出力制御部２４が外部機器３との間でＵＳＢ規格に基づくネゴシエーション動作を行い、電子機器１がＵＳＢ規格に定められたデバイスクラスにおいてオーディオクラスに属するＵＳＢホスト機器であるとの宣言を外部機器３に行うためのコマンドを送出する。
【００７３】
その結果、ステップＳ１３において、外部機器３からみて電子機器１がＵＳＢオーディオ機器であると認識される。従って、このＵＳＢオーディオ機器である電子機器１に対してオーディオ出力を行うか否かを外部機器３の使用者が選択でき、また、ボリューム操作等によりオーディオ出力信号のレベル調整を使用者が行うことができるようになる。
【００７４】
ステップＳ１４では、入力指示部２５が使用者により操作されることで入力信号が入力指示部２５から出力されるのを待ち、入力指示部２５から入力信号が出力された（ステップＳ１４においてＹＥＳ）場合はプログラムはステップＳ１５に移行する。
【００７５】
ステップＳ１５では、出力制御部２４によりＵＳＢによる外部機器３と電子機器１との間の接続が切断され、ステップＳ１６では、出力制御部２４が充電モードで動作する。すなわち、出力制御部２４は、オーディオデータ入力ポート２１ｃを介して入力されたオーディオ出力信号を、出力部２２を介して出力させる。一方、電源供給部２３は、電源出力ポート２１ｂを介して外部機器３の電源入力ポート３ｂへ電源供給を行う。なお、ステップＳ１６において充電モードではなくトランスミッターモードで動作してもよい。
【００７６】
ステップＳ１７では、入出力インタフェース２１のオーディオデータ入力ポート２１ｃであるＩＤ端子が開放された、すなわち、ＩＤ端子と外部機器３のオーディオデータ出力ポート３ｃとが切断されるのを待ち、ＩＤ端子と外部機器３のオーディオデータ出力ポート３ｃとが切断されたと判定された（ステップＳ１７においてＹＥＳ）場合は、プログラムはステップＳ１０に戻る。ステップＳ１７の判定も、ＩＤ端子の抵抗値を測定する等により行われる。
【００７７】
（第２実施形態の効果）
以上詳細に説明したように、本実施形態の電子機器１によれば、入出力インタフェース２１のデータ入力ポート２１ａに入力された入力信号とオーディオデータ入力ポート２１ｃに入力された入力信号とのいずれか一方を出力部２２により出力させているので、電子機器１の使用者が、データ入力ポート２１ａに入力された入力信号を出力部２２に出力させるように出力制御部２４を制御することで、オーディオ出力が電子機器１を介して出力されることを抑制することができる。これにより、使用者が出力を意図しないオーディオデータの出力を中止することが可能となる。
【００７８】
（変形例）
なお、本発明の電子機器１は、その細部が上述の各実施形態に限定されず、種々の変形例が可能である。一例として、上述の各実施形態はＵＳＢ  ＯＴＧ対応の電子機器１に適用されていたが、入出力インタフェース２１にＩＤ端子を備えない電子機器１にも好適に適用可能である。ＩＤ端子を備えない電子機器１の場合、外部機器の接続や解放のチェックはＩＤ端子の抵抗値測定に変え、ＵＳＢネゴシエーション手順におけるＤ＋やＤ−信号を監視する事により実現できる。
【００７９】
また、本発明が適用される電子機器１において、第１実施形態のように入力信号を常時監視して自動切り替えする構成と、第２実施形態のようにスイッチ３０により手動で切り替えする構成との双方を同時に実施してもよい。この場合、自動切り替え条件が合致した場合であっても、スイッチ３０操作による切替を優先することが好ましい。
【００８０】
そして、上述の実施形態において、電子機器１を動作させるプログラムはＲＯＭ１６等に格納されて提供されていたが、不図示の光学ディスクドライブ等を用いて、プログラムが格納されたＤＶＤ（Digital Versatile Disc）等の記録媒体、ＵＳＢ外部記憶装置、メモリーカード等を接続し、このＤＶＤ等からプログラムを電子機器１に読み込んで動作させてもよい。また、インターネット上のサーバ装置内にプログラムを格納しておき、このプログラムを電子機器１に読み込んで動作させてもよい。さらに、上述の実施形態において、電子機器１は複数のハードウェア要素により構成されていたが、これらハードウェア要素の一部の動作を制御回路１０、ＣＰＵ１５がプログラムの動作により実現することも可能である。
【符号の説明】
【００８１】
１    電子機器
２    シガーソケット
３    外部機器
３ａ  データ出力ポート
３ｂ  電源入力ポート
３ｃ  オーディオデータ出力ポート
４    ＵＳＢケーブル
５    車載機器
１０    制御回路
１１    ＦＭトランスミッター部
１２    電源回路
１３  アンテナ
１４  電源端子
１５  ＣＰＵ
１６  ＲＯＭ
１７  ＲＡＭ
１８  デコーダ
１９  ＦＭ変調部
２０  制御部
２１  入出力インタフェース
２１ａ  データ入力ポート
２１ｂ  電源出力ポート
２１ｃ  オーディオデータ入力ポート
２２  出力部
２３  電源供給部
２４  出力制御部
２５  入力指示部
２６  解除入力部
３０  スイッチ
【図１】
2016208095.tif 000003
【図２】
2016208095.tif 000004
【図３】
2016208095.tif 000005
【図４】
2016208095.tif 000006
【図５】
2016208095.tif 000007
【図６】
2016208095.tif 000008